(57)【要約】【課題】  方向Ｘ及び方向Ｙの双方のずれを吸収・解消できる基板間コネクタを提供する。【解決手段】  ソケット１は、回路基板Ｂ１に装着される共通ハウジング２と、互いに所定間隔Ｃ２を隔てて隣り合わせて配置された信号端子ブロック６及び電源端子ブロック４と、共通ハウジング２と信号端子ブロック６とを架け渡して設けられた信号端子５と、共通ハウジング２と電源端子ブロック４とを架け渡して設けられた電源端子３とを備え、プラグ１１は、別の回路基板Ｂ２に装着される別の共通ハウジング１２と、この共通ハウジング１２に直接装着された別の信号端子１４及び別の電源端子１３と、上記所定間隔Ｃ２に挿入され、信号端子ブロック６を方向Ｘに押圧して上記信号端子５と上記別の信号端子１４とのずれを補正するための隔壁１７とを備え、且つ上記電源端子３と上記別の電源端子１３との接触部３ｄ、１３ｄに、これらの端子３、１３を上記方向Ｘにスライド可能に接触させるためのスライド機構（３ｄｘ、３ｄｙ、３ｄｚ、１３ｄｘ）を設けたもの。【選択図】  図１
2006085944.tif 000002
【特許請求の範囲】
【請求項１】
一方の回路基板に取り付けられるソケットと、他方の回路基板に取り付けられるプラグとからなる基板間コネクタであって、
上記プラグ及びソケットの内の一方は、回路基板に装着される共通ハウジングと、互いに所定間隔を隔てて隣り合わせて配置された信号端子ブロック及び電源端子ブロックと、上記共通ハウジングと上記信号端子ブロックとを架け渡して設けられた信号端子と、上記共通ハウジングと上記電源端子ブロックとを架け渡して設けられた電源端子とを備え、
上記プラグ及びソケットの内の他方は、別の回路基板に装着される別の共通ハウジングと、該別の共通ハウジングに直接装着された別の信号端子及び別の電源端子と、上記所定間隔に挿入され、上記信号端子と上記別の信号端子とが信号端子の架け渡し方向と直交する方向にずれているとき、上記信号端子ブロックを押圧して上記ずれを解消するための隔壁とを備え、
且つ上記電源端子及び上記別の電源端子の接触部に、これらの端子を上記直交方向にスライド可能に接触させるためのスライド機構を設けたことを特徴とする基板間コネクタ。
【請求項２】
上記電源端子を上記信号端子よりも大型とすると共に、上記別の電源端子を上記別の信号端子よりも大型とし、且つ上記スライド機構を、上記電源端子及び上記別の電源端子の接触部の一方に設けられ上記直交方向に沿って形成された平板部と、上記接触部の他方に設けられ上記平板部を左右から挟む複数の爪部とから構成した請求項１記載の基板間コネクタ。
【請求項３】
上記電源端子は金属板を屈曲成形した変位吸収部を有し、該変位吸収部に剛性を調節するためのスリットを形成した請求項１又は２記載の基板間コネクタ。
【請求項４】
上記電源端子は、上記回路基板に固定するためのテール部を複数本有する請求項１〜３記載の基板間コネクタ。
【発明の詳細な説明】
【技術分野】
【０００１】
本発明は、一方の回路基板（配線基板）にはソケットが、他方の回路基板にはプラグが、夫々実装されていて、両基板を重ね合わせる事によってプラグがソケットに嵌まり込み、両者の電気的接続を達成する基板間コネクタに関するものである。
【背景技術】
【０００２】
基板間コネクタとして、例えば図１３に示すものが知られている（特許文献１参照）。この基板間コネクタＣは、一方の回路基板Ｂ１に取り付けられるソケットＳと、他方の回路基板Ｂ２に取り付けられるプラグＰとからなり、上記ソケットＳに上記プラグＰが嵌め込まれることで双方の回路基板Ｂ１、Ｂ２同士を電気的に接続するものである。上記ソケットＳには複数のソケット端子ＳＴが植設され、上記プラグＰには複数のプラグ端子ＰＴが植設されている。これらの端子ＳＴ、ＰＴは、テール部ＳＴ１、ＰＴ１と接触部ＳＴ２、ＰＴ２とを夫々有する。テール部ＳＴ１、ＰＴ１は、夫々回路基板Ｂ１、Ｂ２の所定の箇所に半田付け固定され、接触部ＳＴ２、ＰＴ２は、上記ソケットＳに上記プラグＰが嵌め込まれたとき互いに接触する。
【０００３】
この様な基板間コネクタＣにおいて、上記多数の端子ＳＴ（ＰＴ）の内の大部分を信号端子とし、数本を電源端子として用いることがしばしば行われる。その理由は、電源端子と信号端子との形状が同一となるので、部品の共通化による低コスト化を図ることができるからである。しかし、電源端子に数アンペアの比較的大きな電流を流す様なニーズが出て来ると、もはやこの形式（信号端子及び電源端子の形状が同一のタイプ）のコネクタＣではこのニーズに応えられなくなる。
【０００４】
例えば、１本の端子ＳＴ（ＰＴ）に０．５アンペア（定格電流）を流せる様に設定し、多数の端子ＳＴ（ＰＴ）の内の８本を電源端子として用いて合計で４アンペアの電流を流していた場合を想定する。この場合、もし８本の電源端子の内のいずれか１本の接触が不確実で、正規に通電できない様な事態になった場合、このコネクタＣでは残りの７本の電源端子に４アンペアの電流が流れることになり、電源端子１本当たり、４／７＝０．５７アンペアもの電流が流れ、上記定格電流をオーバーしてしまうことになる。或いは、このケースで、残った７本の電源端子が全く同じ抵抗値を持っている場合には０．５７アンペアの電流が均等に流れるが、もしも上記抵抗値に差異があれば、電流はより抵抗の小さな電源端子に集中して流れることになり、時として定格電流の数倍の電流が流れる虞れがある。
【０００５】
この様なことが生ずると、大電流の流れた端子が発熱し、コネクタＣそのものに、或いはその回路基板Ｂ１、Ｂ２に、更にはそれを組み込んだ電子機器に悪影響を及ぼしかねない。すなわち、複数の端子ＳＴ（ＰＴ）の内の一部が通電時の発熱と遮断時の冷却とを繰り返すと、その端子が植設されているハウジングが繰り返しの熱応力を受けて破壊されたり、上記ハウジングが装着された回路基板Ｂ１、Ｂ２に反りが生じたり、周辺の電子素子がこの熱に晒されて性能が劣化したり、電子機器の正常な動作を損なうことがある。よって、電源端子として用いる端子ＳＴ（ＰＴ）の数を増やして流し得る電流の大きさを増大させる方式には限度があるといえる。
【０００６】
従って、この様なケースでは、信号端子と電源端子の共通化によるメリットを放棄し、電源端子を信号端子よりも大きくすることで、１本の電源端子に上述の４アンペアの大電流を流し得るようにし、この大きな電源端子（定格電流４アンペア）が装着されたソケットとプラグとからなる電源端子用コネクタを、元のサイズの信号端子（定格電流０．５アンペア）が装着されたソケットとプラグとからなる信号端子用コネクタとは別途用意することが考えられる。
【０００７】
ここで、上記各端子ＳＴ、ＰＴが装着される図１３に示すコネクタＣのハウジングを若干設計変更し、上述した大きな電源端子（定格電流４アンペア）を組み込み得るようにするというアイデアも考えられるが、上述のように電源端子の定格電流（４アンペア）を信号端子の定格電流（０．５アンペア）の８倍にも大きくすると、それに応じて電源端子の大きさも信号端子の数倍のサイズアップが必要となり、ハウジングの若干の設計変更程度ではこの大きな電源端子をハウジングに収めることができず、このアイデアは成立しない。
【０００８】
従って、上述のように信号端子用コネクタと電源端子用コネクタとを別々に用意することになるのであるが、これは、これら２つのコネクタを別々に回路基板Ｂ１、Ｂ２に実装しなければならないことを意味する。この場合、各コネクタが夫々ソケットとプラグとからなるため、回路基板Ｂ１、Ｂ２に取り付けられるソケット及びプラグの合計数が４個となり、回路基板Ｂ１、Ｂ２に対する各ソケット及びプラグの半田付けによる固定箇所は、４箇所となる。
【０００９】
なお、都合によっては、信号端子用のコネクタ１個に対して電源端子用コネクタを２個用意する様な場合もあり、この場合には、回路基板Ｂ１、Ｂ２に取り付けられるソケット及びプラグの合計数が６個となるため、回路基板Ｂ１、Ｂ２に対する各部品（ソケット、プラグ）の半田付けによる固定箇所は合計で６箇所にもなる。
【００１０】
【特許文献１】特開平６−３２５８２５号公報
【特許文献２】特開平９−３０６６１３号公報
【発明の開示】
【発明が解決しようとする課題】
【００１１】
この様に複数のソケットと複数のプラグとを各々回路基板Ｂ１、Ｂ２に実装した場合、その夫々は取付公差範囲以内で正しく半田付け固定されていても、回路基板Ｂ１、Ｂ２を重ね合わせる如く接近させ、夫々のプラグを夫々のソケットに嵌め合わせようとした際、旨く嵌め込ませることができない事態が生じ得る。その理由は、実装の取付誤差はこの場合、各ソケット・プラグの一つ一つの取付誤差が加算されて全体の誤差が拡大されてしまい、４つの部品のときは４倍に拡大するからである。
【００１２】
例えば、一方の回路基板Ｂ１に電源端子用ソケットと信号端子用ソケットとを装着し、他方の回路基板Ｂ２に電源端子用プラグと信号端子用プラグとを装着し、これらソケットとプラグとを各々嵌合させる場合を考える。上記各ソケット及びプラグの長手方向の取付公差が±０．２ｍｍであると仮定すると、電源端子用ソケットが＋０．２ｍｍ、信号端子用ソケットが−０．２ｍｍずれ、電源端子用プラグが−０．２ｍｍ、信号端子用プラグが＋０．２ｍｍずれるケースが考えられる。この場合、一方のプラグ・ソケットを嵌合すると他方のプラグ・ソケットに２倍の０．４ｍｍの誤差が顕在化して他方は嵌合不能となる。
【００１３】
勿論、上記誤差を吸収するためにこの種のコネクタにあってはフローティング構造を採用する事が一般的であるが、この構造を採用しても、所詮、吸収できる誤差には限度がある。また、各ソケット・プラグの回路基板Ｂ１、Ｂ２への取付公差を従来の半分にするなどして取付精度を向上させれば、上記ソケット・プラグの嵌込不能の問題を解決することが可能であるが、これには組立設備の大幅な変更を伴うのみならず、歩留りを劣化させて大幅なコストアップを招く等の問題が生じるため、実際的ではなく採用できない。
【００１４】
そこで、本出願人は、この課題を解決するために、先に特願２００４−２１８４０３号を提案した。
【００１５】
この出願に記載された発明は、図１〜図３に示すように、ソケット１を、回路基板Ｂ１に装着される共通ハウジング２と、互いに所定間隔Ｃ２を隔てて隣り合わせて配置された信号端子ブロック６及び電源端子ブロック４と、共通ハウジング２と信号端子ブロック６とを架け渡して設けられた信号端子５と、共通ハウジング２と電源端子ブロック４とを架け渡して設けられた電源端子３とから構成し、図６〜図８に示すように、プラグ１１を、別の回路基板Ｂ２に装着される別の共通ハウジング１２と、この共通ハウジング１２に直接装着された別の信号端子１４及び別の電源端子１３とから構成したものである。
【００１６】
この発明によれば、実質的には複数のソケットと複数のプラグとを各回路基板Ｂ１、Ｂ２に実装したものと同様の構造となるものの、一方の回路基板Ｂ１には共通ハウジング２が取り付けられ、他方の回路基板Ｂ２には別の共通ハウジング１２が取り付けられるのみなので、各回路基板Ｂ１、Ｂ２への取付部品点数は１個のコネクタの場合と同様になる。よって、前述した取付誤差の倍加問題が生じることはなく、円滑な嵌合を確保できる。なお、この発明は、上記出願が本出願時には出願公開されていないため、出願前の公知発明を構成するものではない。
【００１７】
ところで、上記コネクタのフローティング構造は、各電源端子３及び信号端子５にそれぞれ山型に形成された変位吸収部３ｅ、５ｅに依存した構造となっているため、各端子３、５の架け渡し方向Ｙに対しては良好なフローティング機能を発揮するが、上記架け渡し方向Ｙと直交する方向Ｘにはフローティング機能を発揮し難いという問題がある。しかし、ソケット１、プラグ１１の各基板Ｂ１、Ｂ２への取付誤差は方向Ｙのみならず方向Ｘにも勿論発生し得るので、方向Ｘの誤差が吸収し難いというのでは実際上問題となる。
【００１８】
特に、電源端子３は、信号端子５よりも定格電流値が大きいことから信号端子５の幅よりも幅広に成形されており、その変位吸収部３ｅが信号端子５の変位吸収部５ｅよりも大幅に幅広となって方向Ｘの剛性が信号端子５よりも高くなるため、方向Ｘのフローティング機能の低下が顕著となる。このため、方向Ｘのずれを吸収せんとする場合には、各電源端子３を基板Ｂ１に半田付け固定するテール部３ｂに大きな応力が集中し、テール部３ｂの半田付け部分が剥離して接触不良となる事態が懸念されていた。
【００１９】
他方、信号端子５に関しては、各信号端子５同士のピッチが電子機器の益々の小型化の要求から０．５ｍｍや０．３ｍｍといった微細ピッチの要求が出てくる今日では、ソケット１とプラグ１１とが方向Ｘにずれている場合、このずれに起因する接触不良の問題はより深刻なものとなる。すなわち、この場合、本来接触すべき信号端子５、１４が接触せず、端子５が端子１４、１４同士の間の絶縁部分に接触してしまう、或いは、更にずれが大きな場合には、端子５が本来接触するべき端子１４の隣りの端子１４と接触するケースも考えられる。
【００２０】
以上の事情を考慮して創案された本発明の目的は、上記方向Ｙのみならず上記方向Ｘのずれをも吸収・解消できる基板間コネクタを提供することにある。
【課題を解決するための手段】
【００２１】
上記目的を達成すべく請求項１に係る発明は、一方の回路基板に取り付けられるソケットと、他方の回路基板に取り付けられるプラグとからなる基板間コネクタであって、上記プラグ及びソケットの内の一方は、回路基板に装着される共通ハウジングと、互いに所定間隔を隔てて隣り合わせて配置された信号端子ブロック及び電源端子ブロックと、上記共通ハウジングと上記信号端子ブロックとを架け渡して設けられた信号端子と、上記共通ハウジングと上記電源端子ブロックとを架け渡して設けられた電源端子とを備え、上記プラグ及びソケットの内の他方は、別の回路基板に装着される別の共通ハウジングと、該別の共通ハウジングに直接装着された別の信号端子及び別の電源端子と、上記所定間隔に挿入され、上記信号端子と上記別の信号端子とが信号端子の架け渡し方向と直交する方向にずれているとき、上記信号端子ブロックを押圧して上記ずれを解消するための隔壁とを備え、且つ上記電源端子及び上記別の電源端子の接触部に、これらの端子を上記直交方向にスライド可能に接触させるためのスライド機構を設けたものである。
【００２２】
請求項２に係る発明は、上記電源端子を上記信号端子よりも大型とすると共に、上記別の電源端子を上記別の信号端子よりも大型とし、且つ上記スライド機構を、上記電源端子及び上記別の電源端子の接触部の一方に設けられ上記直交方向に沿って形成された平板部と、上記接触部の他方に設けられ上記平板部を左右から挟む複数の爪部とから構成したものである。
【００２３】
請求項３に係る発明は、上記電源端子は金属板を屈曲成形した変位吸収部を有し、該変位吸収部に剛性を調節するためのスリットを形成したものである。
【００２４】
請求項４に係る発明は、上記電源端子は、上記回路基板に固定するためのテール部を複数本有するものである。
【発明の効果】
【００２５】
本発明に係る基板間コネクタによれば、次のような効果を発揮できる。
【００２６】
（１）請求項１に係る発明によれば、各端子の架け渡し方向（上記方向Ｙ）のみならず、その方向と直交する方向（上記方向Ｘ）のずれをも吸収・解消できる。
【００２７】
（２）請求項２に係る発明によれば、電源端子及び別の電源端子の接触部に設けられるスライド機構を簡単な構成で実現することができる。
【００２８】
（３）請求項３に係る発明によれば、スリットの幅を変化させることで電源端子の剛性の調節が容易にできる。
【００２９】
（４）請求項４に係る発明によれば、電源端子に支持された電源端子用ブロックの安定性・支持剛性を確保できる。
【発明を実施するための最良の形態】
【００３０】
本発明の好適実施形態を添付図面に基づいて説明する。
【００３１】
本実施形態に係る基板間コネクタは、一方の回路基板に取り付けられるソケットと、他方の回路基板に取り付けられるプラグとからなり、上記ソケットに上記プラグが嵌め込まれることで双方の回路基板同士を電気的に接続するものである。
【００３２】
＜ソケット＞
先ず、図１〜図３を用いて上記ソケットについて説明する。
【００３３】
図１に示すように、回路基板Ｂ１（図１３参照）に取り付けられるソケット１は、回路基板Ｂ１に装着される共通ハウジング２と、共通ハウジング２から所定間隔Ｃ１を隔てると共に、互いに別の所定間隔Ｃ２を隔てて隣り合わせて配置された信号端子ブロック６及び電源端子ブロック４と、共通ハウジング２と信号端子ブロック６とを架け渡して設けられた信号端子５と、共通ハウジング２と電源端子ブロック４とを架け渡して設けられた電源端子３とを備えている。
【００３４】
詳しくは、上記共通ハウジング２は環状に形成され、この共通ハウジング２の内方には、上記電源端子ブロック４及び信号端子ブロック６が、上記共通ハウジング２の内周壁から所定間隔Ｃ１を隔てて夫々収容されている。また、これら電源端子ブロック４と信号端子ブロック６との間には、別の所定間隔Ｃ２の間隔が設定されている。
【００３５】
上記間隔Ｃ１は、このソケット１に後述する図６のプラグ１１を嵌合するときに、プラグ１１のハウジング部１２ａ、１２ｂが挿入可能な寸法に設定される。また、上記間隔Ｃ２は、後述するプラグ１１の隔壁１７が挿入可能な寸法に設定される。
【００３６】
上記電源端子ブロック４は、上記信号端子ブロック６を挟むようにして、同一形状のものが一対配置されている。すなわち、上記共通ハウジング２は、その中央部に上記信号端子ブロック６を収容するためのスペースが形成された信号端子ブロック用共通ハウジング部２ａを有し、両端部に上記電源端子ブロック４を収容するためのスペースが形成された電源端子ブロック用共通ハウジング部２ｂを有する。
【００３７】
上記信号端子ブロック用共通ハウジング部２ａは、平行に配置された一対の壁体からなり、上記電源端子ブロック用共通ハウジング部２ｂは、平面視略コ字状に形成された壁体からなる。そして、これらハウジング部２ａ、２ｂが接続されることで共通ハウジング２が全体として環状に形成され、その内部の上記各スペースに上記信号端子ブロック６と上記電源端子ブロック４とが夫々収容されている。
【００３８】
上記電源端子ブロック４と上記共通ハウジング２とには、これらを架け渡すようにして電源端子３が装着されている。電源端子３は、左右の電源端子ブロック４に一対（２個）ずつ計二対（４個）装着されている。これらの電源端子３は、図例では夫々に４アンペアの電流が流し得るようにその大きさが設定されている。
【００３９】
他方、上記信号端子ブロック６と上記共通ハウジング２とには、これらを架け渡すようにして信号端子５が装着されている。信号端子５は、信号端子ブロック６にその長手方向に０．５ｍｍ間隔を隔てて左右５０対、装着されている。各信号端子は、定格電流が０．５アンペアのものが用いられている。
【００４０】
なお、これらの数値（２個、４個、４アンペア、０．５ｍｍ、５０対、０．５アンペア）は例示であり、別の数値でも構わない。
【００４１】
＜ソケットの電源端子＞
図２に示すように、上記電源端子３は、上記電源端子ブロック４と上記電源端子ブロック用共通ハウジング部２ｂとを架け渡すようにしてこれらに装着されており、上記電源端子ブロック４を上記共通ハウジング部２ｂに対してフローティング支持している。すなわち、電源端子３は、電流を流す端子としての機能と、上記共通ハウジング部２ｂに対して上記電源端子ブロック４をフローティング支持する弾性支持機能とを兼用する。
【００４２】
図４にも示すように、上記電源端子３は、金属板をプレス加工して成り、上記共通ハウジング部２ｂに形成された溝に圧入されたハウジング固定部３ａと、ハウジング固定部３ａの下端から側方に延出されたテール部３ｂと、上記電源端子ブロック４に形成された溝に圧入されたブロック固定部３ｃと、ブロック固定部３ｃから上方に延出された接触部３ｄと、上記ハウジング固定部３ａと上記ブロック固定部３ｃとの間に略山型（逆Ｕ字型）に形成された変位吸収部３ｅとを有する。
【００４３】
上記テール部３ｂは、図１のソケット１が装着される回路基板Ｂ１（図１３参照）にプリントされた電源線引出部に半田付け固定されるものであり、本実施形態では図１及び図４に示すように１個の電源端子３から２本引き出されている。このテール部３ｂは、１本でも良いが本実施形態の如く２本とすれば、一つの電源端子ブロック４を４本のテール部３ｂで支承することになるので、電源端子用ブロック４の回路基板Ｂ１への支持剛性が向上してそのポジションを的確に維持できる。
【００４４】
図２に戻って、上記接触部３ｄは、電源端子ブロック４に形成された挿入穴４ａに配置されている。挿入穴４ａには、図１のソケット１に図６のプラグ１１が嵌合されるとき、プラグ１１側の別の電源端子１３が挿入される。図４に示すように、この接触部３ｄは、３つの爪部３ｄｘ、３ｄｙ、３ｄｚを有する。これら爪部３ｄｘ、３ｄｙ、３ｄｚは、電源端子３の架け渡し方向Ｙと直交する方向Ｘに隣接させて互い違いに配置されており、図６に示す別の電源端子１３の接触部１３ｃ（図７参照）に形成された平板部１３ｃｘ（図９参照）を左右から挟む。
【００４５】
上記変位吸収部３ｅは、電源端子ブロック４と共通ハウジング部２ｂとの間の間隔Ｃ１の部分に、図６のプラグ１１のハウジング部１２ｂの挿入の邪魔にならないように配置されている。変位吸収部３ｅには、剛性を調節するためのスリット３ｅｘが長手方向に沿って形成されている。変位吸収部３ｅは上記ソケット１に図４のプラグ１１が嵌合されるときに適宜撓み、共通ハウジング部２ｂに対する電源端子ブロック４の変位（主として電源端子３の架け渡し方向Ｙの変位）を許容する。
【００４６】
電源端子３は、図例では厚さ０．２ｍｍのリン青銅板をプレス加工して製造されており、上記変位吸収部３ｅのスリット３ｅｘで分離された部分の幅、各テール部３ｂの幅、接触部３ｄの各爪部３ｄｘ、３ｄｙ、３ｄｚの幅は、夫々約０．８ｍｍとなっており、大きな電流（４アンペア）が流れても対応可能となっている。また、各爪部３ｄｘ、３ｄｙ、３ｄｚが上記平板部１３ｃｘを左右から挟んだときに平板部１３ｃｘと接触する部分の長さは、約０．８ｍｍ×３＝約２．４ｍｍとなっており、大きな電流（４アンペア）を問題無く流し得るようになっている。
【００４７】
なお、これらの数値（０．２ｍｍ、０．８ｍｍ、４アンペア、２．４ｍｍ）、材質（リン青銅）は例示であり、別の数値、材質（導体）でも構わない。
【００４８】
＜ソケットの信号端子＞
図３に示すように、上記信号端子５は、上記信号端子ブロック６と上記信号端子ブロック用共通ハウジング部２ａとを架け渡すようにしてこれらに装着されており、上記信号端子ブロック６を上記共通ハウジング部２ａに対してフローティング支持している。すなわち、信号端子５は、電流を流す端子としての機能と、上記共通ハウジング部２ａに対して上記信号端子ブロック６をフローティング支持する弾性支持機能とを兼用する。
【００４９】
図５にも示すように、上記信号端子５は、金属板をプレス加工して成り、上記共通ハウジング部２ａに形成された溝に圧入されたハウジング固定部５ａと、ハウジング固定部５ａの下端から側方に延出されたテール部５ｂと、上記信号端子ブロック６に形成された溝に圧入されたブロック固定部５ｃと、ブロック固定部５ｃの下端から上方に延出された接触部５ｄと、上記ハウジング固定部５ａと上記接触部５ｄとの間に略山型に形成された変位吸収部５ｅとを有する。
【００５０】
上記テール部５ｂは、図１のソケット１が装着される回路基板Ｂ１（図１３参照）にプリントされた信号線引出部に半田付け固定されるものであり、図５に示すように各信号端子５から夫々１本ずつ引き出されている。
【００５１】
図３に示すように、上記接触部５ｄは、信号端子ブロック６に形成された挿入溝６ａ内に収容されている。この接触部５ｄは、共通ハウジング部２ａと信号端子ブロック６との間の間隔Ｃ１に後述する図６のプラグ１１のハウジング部１２ａの壁が嵌合されるとき、プラグ１１側の信号端子１４が接触される。
【００５２】
上記変位吸収部５ｅは、上記間隔Ｃ１の部分に、図６のプラグ１１のハウジング部１２ａの壁の挿入の邪魔にならないように配置されている。上記変位吸収部５ｅは上記ソケット１に図６のプラグ１１が嵌合されるときに適宜撓み、共通ハウジング部２ａに対する信号端子ブロック６の変位（主として信号端子５の架け渡し方向Ｙの変位）を許容する。
【００５３】
信号端子５は、図例では厚さ０．２ｍｍのリン青銅板をプレス加工して製造されており、上記変位吸収部５ｅ、テール部５ｂ、接触部５ｄ等の幅は、約０．２ｍｍと針金状となっていて、大きな電流が流れるには相応しくなく、定格電流が信号電流にマッチした０．５アンペアとなっている。
【００５４】
なお、これらの数値（０．２ｍｍ、０．２ｍｍ、０．５アンペア）、材質（リン青銅）は例示であり、別の数値、材質（導体）でも構わない。
【００５５】
＜プラグ＞
次に、図６〜図８を用いて上記プラグ１１について説明する。
【００５６】
図６に示すように、上記ソケット１が実装される回路基板Ｂ１とは別の回路基板Ｂ２（図１３参照）に取り付けられるプラグ１１は、別の回路基板Ｂ２に装着される別の共通ハウジング１２と、この共通ハウジング１２に直接装着された別の信号端子１４及び別の電源端子１３と、隔壁１７とを備えている。
【００５７】
詳しくは、上記共通ハウジング１２は、その中央部に信号ハウジング部１２ａを有し、両端部に電源ハウジング部１２ｂを有する。信号ハウジング部１２ａと電源ハウジング部１２ｂとは隔壁１７によって仕切られている。隔壁１７は、共通ハウジング１２全体の剛性アップに寄与すると共に、ソケット１の信号端子５をそのピッチ方向（信号端子５の架け渡し方向Ｙと直交する方向Ｘ）に変位させてプラグ１１の信号端子１４との相対位置の調整を行う役割を持っている。
【００５８】
信号ハウジング部１２ａは有底箱状に形成されており、この信号ハウジング部１２ａには、上記ソケット１側に合わせて、長手方向に所定間隔（０．５ｍｍ）を隔てて左右５０対の信号端子１４が装着されている。各信号端子１４は、定格電流が０．５アンペアのものが用いられている。
【００５９】
上記各電源ハウジング部１２ｂは有底箱状に形成されており、各電源ハウジング部１２ｂには、上記ソケット１側に合わせて、夫々左右一対の電源端子１３が装着されている。各電源端子１３は、夫々に４アンペアの電流が流し得るようにその大きさが設定されている。
【００６０】
なお、上記各数値（０．５ｍｍ、５０対、０．５アンペア、４アンペア）は例示であり、別の数値でも構わない。但し、ソケット１側の数値と合わせるようにする。
【００６１】
＜プラグの電源端子＞
図７及び図９に示すように、上記電源端子１３は、上記電源ハウジング部１２ｂに直接装着されており、電源ハウジング部１２ｂに形成された溝に圧入されたハウジング固定部１３ａと、ハウジング固定部１３ａの下端から側方に延出されたテール部１３ｂと、ハウジング固定部１３ａから上方に延出された接触部１３ｃとを有する。
【００６２】
上記テール部１３ｂは、図６のプラグ１１が装着される回路基板Ｂ２（図１３参照）にプリントされた電源線引出部に半田付け固定されるものであり、本実施形態では図９に示すように１個の電源端子１３から１本引き出されている（但しテール部１３ｂを２本以上引き出すことを妨げるものではない）。
【００６３】
上記接触部１３ｃは、電源ハウジング部１２ｂに形成された挿入穴１５に配置されている。挿入穴１５には、図６のプラグ１１が図１のソケット１に嵌合されるとき、ソケット１側の電源端子ブロック４が挿入される。このとき、ソケット１側の電源端子３の接触部３ｄが、プラグ１１側の電源端子１３の接触部１３ｃと接触する。
【００６４】
図９に示すように、上記電源端子１３の接触部１３ｃは、上記電源ハウジング部１２ｂの底部に垂直かつ上記方向Ｘに沿って形成された略長方形状の平板部１３ｃｘを有する。平板部１３ｃｘは、ソケット１側の電源端子３に対応して定格電流が４アンペアとなるように大型に形成されており、図４に示すソケット１側の電源端子３の爪部３ｄｘ、３ｄｙ、３ｄｚに挟持されるものである。
【００６５】
上記平板部１３ｃｘ及び上記爪部３ｄｘ、３ｄｙ、３ｄｚは、上記電源端子３及び上記別の電源端子１３の接触部３ｃ、１３ｃに設けられており、これらの端子３、１３を上記方向Ｘに沿ってスライド可能に接触させるためのスライド機構を構成する。
【００６６】
上記電源端子１３は、図例では、厚さ０．２ｍｍのリン青銅板をプレス加工して製造されており、上記平板部１３ｃｘの方向Ｘに沿った長さが４．５ｍｍ、またテール部１３ｂの幅が約１．０ｍｍとなっていて、大きな電流（４アンペア）を問題無く流し得るようになっている。
【００６７】
なお、これらの数値（０．２ｍｍ、４．５ｍｍ、１．０ｍｍ）、材質（リン青銅）は例示であり、別の数値、材質（導体）でも構わない。
【００６８】
＜プラグの信号端子＞
図８及び図１０に示すように、上記信号端子１４は、上記信号ハウジング部１２ａに直接装着されており、信号ハウジング部１２ａに形成された溝に圧入されたハウジング固定部１４ａと、ハウジング固定部１４ａの下端から側方に延出されたテール部１４ｂと、ハウジング固定部１４ａから上方に延出された接触部１４ｃとを有する。
【００６９】
上記テール部１４ｂは、図６のプラグ１１が装着される回路基板Ｂ２（図１３参照）にプリントされた信号線引出部に半田付け固定されるものであり、本実施形態では図１０に示すように１個の信号端子１４から１本引き出されている。
【００７０】
図８に示すように、上記接触部１４ｃは、信号ハウジング部１２ａに四角状に形成された挿入穴１６の内壁に沿って配置されている。挿入穴１６には、図６のプラグ１１が図１のソケット１に嵌合されるとき、ソケット１側の信号端子ブロック６が挿入される。このとき、プラグ１１側の信号端子１４の接触部１４ｃが、ソケット１側の信号端子５の接触部５ｄと接触する。
【００７１】
＜ソケット・プラグの嵌合＞
次に、図１のソケット１に図６のプラグ１１を嵌合したときの様子を図１１及び図１２を用いて説明する。
【００７２】
図１のソケット１に図６のプラグ１１を嵌合すると、図１１に示すように、プラグ１１側の電源ハウジング部１２ｂの壁がソケット１側の間隔Ｃ１に挿入され、プラグ１１側の各電源端子１３の接触部１３ｃがソケット１側の各電源端子３の接触部３ｄに接触する。
【００７３】
また、図１２に示すように、プラグ１１側の信号ハウジング部１２ａの壁がソケット１側の間隔Ｃ１に挿入され、プラグ１１側の各信号端子１４の接触部１４ｃがソケット１側の各信号端子５の接触部５ｄに接触する。
【００７４】
また、図６に示す隔壁１７が、図１に示す間隔Ｃ２に挿入されることになる。
【００７５】
こうして、ソケット１が実装された一方の回路基板Ｂ１とプラグ１１が実装された他方の回路基板Ｂ２とが電気的に接続される。
【００７６】
＜作用＞
以上の構成からなる本実施形態の作用を述べる。
【００７７】
ソケット１にプラグ１１を嵌合させると、ソケット１の電源端子３の接触部３ｄの爪部３ｄｘ、３ｄｙ、３ｄｚが、プラグ１１の電源端子１３の接触部１３ｄの平板部１３ｄｘを左右から挟持し、接触部３ｄ、１３ｄ同士の方向Ｘへの相対移動が許容される。よって、両電源端子３、１３を大電流（４アンペア）を流し得るように大型化することで端子３の変位吸収部３ｅが幅広となり、上記方向Ｘの剛性が高まって端子３の方向Ｘへの変位が困難となっているところ、この方向Ｘの取付誤差を電源端子３、１３同士の相対移動にて確実に吸収できる。なお、方向Ｙへの取付誤差は、図４に示す電源端子３の変位吸収部３ｅによって吸収できる。
【００７８】
ソケット１にプラグ１１を嵌合させると、ソケット１の間隔Ｃ２にプラグ１１の隔壁１７が挿入される。ここで、上述のようにプラグ１１が方向Ｘにずれた状態でソケット１に嵌合したとすると、ソケット１側の信号端子５に対してプラグ１１側の信号端子１４が方向Ｘにずれたことになり、このままでは両信号端子５、１４の間にずれが存在することになってそれらの接続が不良とならざるを得ないところ、上記隔壁１７が上記間隔Ｃ２に入り込んで信号端子ブロック６の端面に当接し、この端面を方向Ｘに押圧して信号ブロック６を上記方向Ｘに移動させることで上記ずれが消去され、信号端子５、１４の接続不良を未然に防止できる。なお、方向Ｙへの取付誤差は、図５に示す信号端子５の変位吸収部５ｅによって吸収できる。
【００７９】
図４、図９に示すように、上記電源端子３、１３の方向Ｘへの誤差を吸収するスライド機構を、端子３の接続部３ｄに設けた爪部３ｄｘ、３ｄｙ、３ｄｚと、端子１３の接続部１３ｄに設けた平板部１３ｄｘとから構成したので、上記スライド機構を簡単な構成で低コストで実現することができる。
【００８０】
図４に示すように、電源端子３の変位吸収部３ｅにスリット３ｅｘを設けたので、スリット３ｅｘの幅及び／又は長さを変更することで、電源端子３の剛性を容易に調節することができる。
【００８１】
図１、図４に示すように、電源端子３のテール部３ｂを方向Ｘに所定間隔を隔てて２本設けたので、電源端子３に支持された電源端子用ブロック４の安定性・支持剛性を確保できる。
【００８２】
また、実質的に電源コネクタと信号コネクタとの二つのコネクタを一つにしているので、電源コネクタと信号コネクタとの二つのコネクタを別々に各回路基板Ｂ１、Ｂ２に実装する場合には必要となる両者の間のスペースが不要となり、その分、実装面積を圧縮して電子機器の小型化に寄与できる。
【００８３】
上述のように実質的に電源コネクタと信号コネクタとの二つのコネクタを一つにしているので、この基板間コネクタにおいては、信号端子用のソケットと電源端子用のソケットとの間にそれぞれを区画するための壁に相当するものが不要となり、その分、更に上記実装面積を圧縮できる。
【００８４】
本実施形態では、メス側であるソケット１に上記フローティング支持の構造を採用しているので、オス側であるプラグ１１に上記フローティング支持の構造を採用する場合と比べると、全体の構造が簡素となり製造が容易となる。
【００８５】
上記共通ハウジング２を環状とし、その内方に上記電源端子ブロック４及び信号端子ブロック６をフローティング支持させたので、上記フローティング支持の構造が安定する。また、上記所定間隔Ｃ１により、上記共通ハウジング２に対する上記電源端子ブロック４及び信号端子ブロック６の相対移動を安定して確保できる。
【００８６】
上記別の所定の間隔Ｃ２により、上記電源端子ブロック４と上記信号端子ブロック６との相対移動を安定して確保できる。
【００８７】
本実施形態では、信号端子ブロック５の両脇に電源端子ブロック４を一対配置したので、対称形状となってコネクタとしてのバランスが良く、ソケット１及びプラグ１１を製造する際の方向性、ソケット１及びプラグ１１を回路基板Ｂ１、Ｂ２に実装する際の方向性が不問となり、それらの作業性が向上する。
【００８８】
＜変形例＞
本発明の実施形態は上記タイプに限定されない。
【００８９】
例えば、本実施形態では、ソケット１側の電源端子３の接続部３ｄに爪部３ｄｘ、３ｄｙ、３ｄｚを、プラグ１１側の電源端子１３の接続部１３ｄに平板部１３ｃｘを設けたが、ソケット１側の電源端子３の接続部３ｄに平板部を設け、プラグ１１側の電源端子１３の接続部１３ｄに爪部を設けてもよい。また、爪部の数は２以上であれば何個でもよい。
【００９０】
また、本実施形態ではソケット１側にフローティング支持構造を採用した例を示したが、プラグ１１側にフローティング支持構造を採用してもよい。また、図１に示す電源端子ブロック４を一個としてもよい。
【００９１】
また、信号端子ブロック６と共通ハウジング２との間隔Ｃ１と、電源端子ブロック４と共通ハウジング２との間隔Ｃ１とは、異なっていてもよい。また、間隔Ｃ１と間隔Ｃ２とは同一であってもよい。
【図面の簡単な説明】
【００９２】
【図１】本発明の好適実施形態に係る基板間コネクタのソケットを示す斜視図である。
【図２】図１のII−II線断面図である。
【図３】図１のIII−III線断面図である。
【図４】ソケットの電源端子の斜視図である。
【図５】ソケットの信号端子の斜視図である。
【図６】上記基板間コネクタのプラグを示す斜視図である。
【図７】図６のVII−VII線断面図である。
【図８】図６のVIII−VIII線断面図である。
【図９】プラグの電源端子の斜視図である。
【図１０】プラグの信号端子の斜視図である。
【図１１】上記ソケットに上記プラグを嵌合させたときの両端部（電源端子部分）の断面図である。
【図１２】上記ソケットに上記プラグを嵌合させたときの中央部（信号端子部分）の断面図である。
【図１３】従来例を示す基板間コネクタの説明図である。
【符号の説明】
【００９３】
１  ソケット
２  共通ハウジング
３  電源端子
３ｂ  テール部
３ｄ  接触部
３ｄｘ  爪部
３ｄｙ  爪部
３ｄｚ  爪部
３ｅ  変位吸収部
３ｅｘ  スリット
４  電源端子ブロック
５  信号端子
６  信号端子ブロック
１１  プラグ
１２  別の共通ハウジング
１３  別の電源端子
１３ｄ  接触部
１３ｄｘ  平板部
１４  別の信号端子
１７  隔壁
Ｂ１  一方の回路基板
Ｂ２  他方の回路基板
Ｃ２  所定間隔
Ｘ  直交方向
Ｙ  架け渡し方向
【図１】
2006085944.tif 000003
【図２】
2006085944.tif 000004
【図３】
2006085944.tif 000005
【図４】
2006085944.tif 000006
【図５】
2006085944.tif 000007
【図６】
2006085944.tif 000008
【図７】
2006085944.tif 000009
【図８】
2006085944.tif 000010
【図９】
2006085944.tif 000011
【図１０】
2006085944.tif 000012
【図１１】
2006085944.tif 000013
【図１２】
2006085944.tif 000014
【図１３】
2006085944.tif 000015